(57)【特許請求の範囲】
【請求項１】
獣毛をｐＨ７〜ｐＨ９の条件下において還元剤を含む還元処理液で処理する還元処理工程、および
還元処理した獣毛をタンパク質およびトランスグルタミナーゼを含有する酵素処理液で処理する酵素処理工程、
を包含する獣毛の改質方法。
【請求項２】
前記還元剤が、亜硫酸塩、重亜硫酸塩、シュウ酸塩、ギ酸塩、没食子酸塩またはそれらの混合物である、請求項１記載の改質方法。
【請求項３】
タンパク質は水溶性タンパク質である、請求項１または２に記載の改質方法。
【請求項４】
獣毛が、山羊毛または羊毛である、請求項１〜３のいずれか１項に記載の改質方法。
【請求項５】
還元処理工程が、温度７０〜９５℃で１０〜１２０分行われる、請求項１〜４のいずれか１項に記載の改質方法。
【請求項６】
酵素処理工程が、温度３０〜６０℃で３０〜１８０分行われる、請求項１〜５のいずれか１項に記載の改質方法。
【発明の詳細な説明】
【技術分野】
【０００１】
本発明は、獣毛の改質方法、特に獣毛のいわゆるピリングを防止する改質方法および改質処理により得られた獣毛に関する。
【背景技術】
【０００２】
羊毛などの獣毛から得られた製品には、ピリングと呼ばれる毛玉の発生が欠点として存在する。毛玉防止（「ピリング防止」ともいう。）として、強力な薬剤を用いて羊毛の強度を脆弱化させ、毛玉を落とすことにより加工物への毛玉付着量を落とし、あたかも毛玉が発生していないかのような対策を取ることがある。しかし、羊毛の脆弱化により、羊毛自体の厚みが奪われ、羊毛自体の風合いに影響を及ぼす。他方、樹脂製薬剤を使用し、羊毛をコーティングすることにより毛玉発生を抑制している対策もあるが、樹脂コーティングにより羊毛特有の肌触りを失ってしまう。
【０００３】
獣毛のピリングを防止する処理は、これまでにも存在する。例えば、特開平３−２１３５７４号公報（引用文献１）には、獣毛繊維を酵素水溶液で処理してキューティクル部を架橋することが開示されている。キューティクル部は獣毛繊維の外側に存在するうろこ状のもので、これがピリングの原因であることが知られている。特許文献１では、獣毛繊維を酵素（トランスグルタミナーゼを含む）で処理してピリングを防止することが提案されている。この処理では、必ずしも十分なピリング防止性能が得られていない。
【０００４】
特表２００２−５１５５５号公報（特許文献２）には、獣毛をタンパク質分解酵素およびトランスグルタミナーゼで処理する技術が記載されている。また、ＷＯ２００９／０６６７８５号公報（特許文献３）には、繊維に小麦タンパク質部分加水分解物を付着させ、その後トランスグルタミナーゼを作用させる技術が記載されている。特許文献２や３の方法では、十分なピリング防止性能が得られていない。
【先行技術文献】
【特許文献】
【０００５】
【特許文献１】特開平３−２１３５７４号公報
【特許文献２】特表２００２−５１５５５号公報
【特許文献３】ＷＯ２００９／０６６７８５号公報
【発明の概要】
【発明が解決しようとする課題】
【０００６】
本発明は、上記従来技術の事情に鑑みてなされたものであり、その課題は、抗ピリング性を備えた獣毛を簡単な処理でえられる改質方法を提供することを目的とする。
【課題を解決するための手段】
【０００７】
即ち、本発明は以下の態様を提供する：
［１］
獣毛を中性または弱アルカリ性の条件下において還元剤を含む還元処理液で処理する還元処理工程、および
還元処理した獣毛をタンパク質およびトランスグルタミナーゼを含有する酵素処理液で処理する酵素処理工程、
を包含する獣毛の改質方法。
［２］
中性または弱アルカリ性が、ｐＨ７〜ｐＨ９である、［１］の改質方法。
［３］
還元剤が、生理的に許容される還元剤である、［１］または［２］記載の改質方法。
［４］
生理的に許容される還元剤が、亜硫酸塩、重亜硫酸塩、シュウ酸塩、ギ酸塩、没食子酸塩またはそれらの混合物である、［３］記載の改質方法。
［５］
タンパク質は水溶性タンパク質である、［１］〜［４］のいずれかに記載の改質方法。
［６］
獣毛が、山羊毛または羊毛である、［１］〜［５］のいずれかに記載の改質方法。
［７］
還元処理工程が、温度７０〜９５℃で１０〜１２０分行われる、［１］〜［６］のいずれかに記載の改質方法。
［８］
酵素処理工程が、温度３０〜６０℃で３０〜１８０分行われる、［１］〜［７］のいずれかに記載の改質方法。
［９］
請求項１〜８のいずれか１項に記載の処理方法で得られた獣毛。
［１０］
［９］記載の獣毛から得られた加工物。
【発明の効果】
【０００８】
本発明は、獣毛を改質処理に関する技術であって、安全性および処理コストの点で好適な高い抗ピリング性を備えた獣毛を提供する処理技術である。本発明により得られた抗ピリング効果により、耐洗濯性に優れた羊毛繊維加工物を提供することが可能となり、従来の羊毛やその他の獣毛の繊維加工物では困難であった用途や製品に対して幅広い利用が可能となる。
【発明を実施するための形態】
【０００９】
本発明の獣毛の改質方法は、獣毛を中性または弱アルカリ性の条件下において還元剤を含む還元処理液で処理する還元処理工程、および還元処理した獣毛を水溶性タンパク質およびトランスグルタミナーゼを含有する酵素処理液で処理する酵素処理工程、を包含するものである。尚、本発明の改質方法は、主として獣毛の改質を目的としているが、ポリエステル繊維など人造繊維と獣毛を含む混紡繊維に対して本発明の処理を行っても良い。もっとも、人造繊維には本発明の処理の効果が期待できない。
【００１０】
［獣毛］
本発明の改質方法で改質する獣毛としては、原料として天然ケラチンを含む動物性繊維を原料として用いることが好適である。獣毛としては、例えば羊毛、山羊毛、兎毛、アルパカ毛等を挙げることができる。またその繊維形態は毛、糸、編物、織物等を挙げることができる。
【００１１】
［還元処理工程］
本発明では、獣毛を中性または弱アルカリ性の条件下に還元剤を含む還元処理液で処理をする。中性または弱アルカリ性とは、ｐＨでいうと、ｐＨ７〜９であるが、必ずしもこれにこだわらない。従って、少し酸性域（具体的には、ｐＨ６〜７の間領域）からｐＨ９を超えるアルカリ性域になっても構わないが、主としてｐＨ７〜９の領域内で処理が行なわれる。ｐＨは緩衝剤により調整することが好適である。
【００１２】
還元剤は、物質に作用してその物質を還元させる化合物であって、かつ生理的に許容されるものあれば特に制限はないが、環境問題に配慮し、亜硫酸塩、重亜硫酸塩、シュウ酸塩、ギ酸塩、没食子酸塩等の可食性薬剤を使用することが好適である。尚、生理的に許容されるとは、生理的に低毒性または無毒性であることをいう。
【００１３】
還元処理液は、上記還元剤を含む水溶液であって、還元剤の配合量は、繊維に対して５％ｏｗｆ（ｏｗｆはｏｎ  ｔｈｅ  ｗｅｉｇｈｔ  ｏｆ  ｆｉｂｅｒの略で繊維重量に対する重量を表す。）〜２５％ｏｗｆ好ましくは１０％ｏｗｆ〜２０％ｏｗｆ、より好ましくは１２〜１８％ｏｗｆである。５％ｏｗｆより少ないと、還元処理が不十分となり、最終的な高ピリング性が不十分となる。２５％ｏｗｆより多くても、問題が無いが、配合量の増加に対して抗ピリングが増加しないし、還元剤が無駄になる。
【００１４】
還元処理工程の反応時間は、還元剤が繊維に作用することが可能な時間であれば特に制限はないが、１０〜１２０分、より好ましくは１５〜９０分、より好ましくは３０〜６０分である。１０分より少ないと、還元が不十分であり、１２０分を超えても、還元量が増加するわけではない。反応温度も還元剤が繊維に作用できれば特に制限はないが７０℃以上が好ましい。上限は９５℃以下である。７０℃より低いと還元能力が不足し、９５℃より高いと繊維を痛めることもある。繊維を処理液に浸漬後においては、振盪、噴射、攪拌いずれの方法でも構わないが、繊維と処理液の接触を増やす方法が好適である。
【００１５】
［酵素処理工程］
上記還元処理工程で得られた獣毛は、次に酵素処理工程に掛ける。酵素処理工程は、還元処理した獣毛を水溶性タンパク質およびトランスグルタミナーゼを含有する酵素処理液（水溶液）で処理する。
【００１６】
本発明に係る水溶性タンパク質は、動植物由来の水溶性タンパク質であれば特に制限はないが、好ましくは動物性由来の水溶性タンパク質を用いることが好適である。水溶性タンパク質は、動植物から得られるタンパク質の内、水溶性のものであり、動物や植物から直接あるいは特定の処理を経て得られるものであり、具体的にはゼラチン、大豆たんぱく、乳タンパク、ペプチド等が挙げられる。本発明では、動物由来のゼラチンが好ましい。水溶性タンパク質は、繊維に対して３％ｏｗｆ〜２５％ｏｗｆ、好ましくは５％〜１５％ｏｗｆ、より好ましくは５％ｏｗｆ〜１０％ｏｗｆ質量％の量で配合するのが好ましい。３％ｏｗｆより少ないと、トランスグルタミナーゼによるタンパク質の結着量不足による抗ピリング性の低下や風合い低下の欠点を有し、２５％ｏｗｆを超えても問題はないが、過剰添加による抗ピリング効果の向上は見込めず、添加したタンパク質が無駄になってしまう。
【００１７】
本発明の酵素処理液には、酵素としてトランスグルタミナーゼを使用する。トランスグルタミナーゼは、タンパク質上のグルタミン酸とリジンのアミノ酸残基に作用してタンパク質を架橋する酵素であり、活性を有しているものであれば構わず、その起源としては、哺乳動物由来のもの、魚由来のもの、微生物由来のもの等、種々の基原のものが知られているが、いずれものでも構わない。トランスグルタミナーゼは、繊維に対して０．１Ｕ／ｇ−繊維（加工繊維１ｇに対するトランスグルタミナーゼの活性値）〜１００Ｕ／ｇ−繊維、好ましくは１Ｕ／ｇ−繊維〜５０Ｕ／ｇ−繊維、より好ましくは５Ｕ／ｇ−繊維〜２５Ｕ／ｇ−繊維の量で配合するのが好ましい。０．１Ｕ／ｇ−繊維より少ないと、タンパク質結着量が不足することで抗ピリング効果や風合いの低下が発生する欠点を有し、１００Ｕ／ｇ−繊維を超えても問題はないが、過剰添加による抗ピリング効果の向上は見込めず、添加したトランスグルタミナーゼが無駄になってしまう。
【００１８】
本発明の酵素処理工程は、還元処理工程で得られた獣毛を水溶性タンパク質とトランスグルタミナーゼを含む酵素処理液に浸漬する方法が挙げられる。酵素処理工程の反応時間は、トランスグルタミナーゼが獣毛に作用することが可能な時間であれば特に制限はないが、３０分以上が好ましく、６０分以上がさらに好ましい。また、処理時間の上限も１８０分以下、好ましくは９０分以下である。３０分より少ないと、酵素処理が不十分であり、１８０分を超えても、時間能増加に応じて性能が増加するわけではない。反応温度もトランスグルタミナーゼが活性を保持することができる範囲であれば特に制限はないが、３０〜６０℃が好ましく、４０〜５０℃がさらに好ましい。反応温度が３０℃未満であれば、酵素処理が不十分となり、逆に６０℃を超える温度での酵素処理は現実的でない。
【００１９】
本発明に係る処理を施した獣毛は、下記に記載の特徴を備えた獣毛である。本発明に係る獣毛の特性として強調すべき点は抗ピリング性に優れている点であり、従来技術に係る獣毛では困難であった用途や製品に対しての幅広い利用が可能となる。
【００２０】
本発明の獣毛は、獣毛に中性から弱アルカリ性のｐＨ条件下で還元処理を行い、さらに水溶性タンパク質の存在下でトランスグルタミナーゼを作用させものである。また、獣毛加工物の形態としては、コート、セーター、パンツ、ジャケット、マフラー、ひざ掛け、手袋または帽子等が挙げられるが特に形態に制限はない。
【００２１】
本明細書中で、「ピリング性」は繊維同士が絡み合い、表面に毛玉(ピル)が発生することを意味し、編物および織物上で見られる。ピリング性はＪＩＳ  Ｌ  １０７６織物及び編物のピリング試験方法に従い判定することができ、ピリング級数として表される。
【００２２】
上記処理工程で用いる還元剤は、食品および／または食品添加物として認可されている薬剤を使用しており、サステイナブルだけでなく、安全性においても有用な技術を提供することが可能となる。
【実施例】
【００２３】
以下、実施例を挙げて本発明を説明するが、本発明の範囲はこれらにより限定されるものではない。
【００２４】
［実施例１］山羊毛の改質処理および抗ピリング試験
山羊毛改質処理でｐＨ条件を中性にした場合において、ピリング効果に与える影響を検討した。
【００２５】
山羊毛１００％の編地の重量に対し浴比１：３０の還元処理溶液を用いた。還元処理溶液は還元剤として亜硫酸ナトリウム１２％ｏｗｆとｐＨ７リン酸ナトリウムバッファー２ｇ／Ｌを溶解して調製した。横振り振盪機を用い編地を６０分間振盪して還元処理を行った。
【００２６】
還元処理後、水洗、脱水を行い、還元処理同様浴比１：３０の処理溶液を用い、タンパク質存在下でトランスグルタミナーゼを作用させる処理（以下トランスグルタミナーゼ処理）を行った。トランスグルタミナーゼ処理液は、ゼラチンＡＰＨ−１００（新田ゼラチン社製、豚皮由来ゼラチン）１０％ｏｗｆとトランスグルタミナーゼ１５Ｕ／ｇ−繊維を溶解して調製した。横振り振盪機を用い、山羊毛を５０℃、６０分間振盪した。トランスグルタミナーゼ処理後、水洗、脱水、乾燥を行った編地を得た。得られた編地について、抗ピリング性および風合い評価を行った。
【００２７】
抗ピリング試験
ＪＩＳ  Ｌ  １０７６  Ａ法に従い、ＩＣＩ型試験機を用いて評価した。試験結果を表１に示す。
【００２８】
風合い評価
本明細書中で、「風合い」は繊維や織物、編物に触れた手触りや肌触りの感触を、人の官能による感覚で表現する主観的評価である。実施例で行った風合いの評価は、未加工布地との相対評価により実施した。やわらかさ、あたたかみ、ふくらみ、ヌメリ感について、官能評価を行い、いずれも結果は良好だった。
【００２９】
［実施例２］羊毛の処理においてｐＨ条件を中性にした場合において、その製造された処理した羊毛へのピリング効果に与える影響を検討した。
【００３０】
羊毛１００％の編地に対し、実施例１と同様に改質処理を行ない、編地を得、それについて実施例１と同様に抗ピリング性および風合いの評価を行った。抗ピリング性については表１に結果を記載した。
【００３１】
風合い評価
やわらかさ、あたたかみ、ふくらみ、ヌメリ感について、官能評価を行い、いずれも結果は良好だった。
【００３２】
［実施例３］山羊毛の改質処理および抗ピリング性の評価
山羊毛について、実施例１のｐＨ条件を弱アルカリ性にした場合において、その製造された山羊毛処理物へのピリング効果に与える影響を検討した。
【００３３】
山羊毛１００％の編地に対し、実施例１の還元処理における条件をｐＨ８とし、同様の処理により改質を行い、編地を得、それについて実施例１と同様に抗ピリング性および風合いの評価を行った。抗ピリング性については表１に結果を記載した。
【００３４】
風合い評価
やわらかさ、あたたかみ、ふくらみ、ヌメリ感について、官能評価を行い、いずれも結果は良好だった。
【００３５】
【表１】
0006889962.tif 000002
【００３６】
［比較例１］弱酸性条件にて処理した山羊毛編地のピリング試験の評価
山羊毛１００％の編地に対し、実施例１の還元処理における条件をｐＨ５とすること以外は、実施例１と同様に改質処理を行い、編地を得、それについて実施例１と同様に抗ピリング性の評価を行った。還元処理を弱酸性ｐＨ条件下で行う事で、ピリング級数は２．５級となった。
【００３７】
［比較例２］特許文献２の分解酵素処理およびトランスグルタミナーゼ処理を行った山羊毛編地のピリング試験の評価
山羊毛１００％の編地の重量に対し浴比１：３０の分解酵素処理溶液を用いた。分解酵素処理溶液は分解酵素としてビオプラーゼＡＰＬ−３０（ナガセケムテックス社製）を０．５９％ｏｗｆとｐＨ８リン酸ナトリウムバッファー２ｇ／Ｌを溶解して調製した。横振り振盪機を用いカシミヤを４４℃、４０分間振盪して分解酵素処理を行った。
【００３８】
分解酵素処理後、８０℃、１０分間加熱し酵素を失活させ、水洗、脱水を行った。次に、水溶性タンパク質を添加していないトランスグルタミナーゼ処理液にて、実施例１と同様にトランスグルタミナーゼ処理を行い、続けて水洗、脱水、乾燥を行った。この処理ではピリング級数が１．５級となり、抗ピリング性は向上しなかった。
【００３９】
［比較例３］特許文献３のトランスグルタミナーゼ処理した山羊毛編地のピリング試験の評価
山羊毛１００％の編地に対し、実施例１のゼラチンを小麦タンパク質とし、トランスグルタミナーゼ処理のみの加工を行った。この処理ではピリング級数が１．５級となり、抗ピリング性は向上しなかった。
【要約】
【課題】  本発明は、抗ピリング性を備えた獣毛を簡単な処理でえられる改質方法を提供することを目的とする。
【解決手段】  本発明は、獣毛を中性または弱アルカリ性の条件下において還元剤を含む還元処理液で処理する還元処理工程、および
還元処理した獣毛を水溶性タンパク質およびトランスグルタミナーゼを含有する酵素処理液で処理する酵素処理工程、
を包含する獣毛の改質方法を提供する。
【選択図】なし